(57)【要約】【課題】暗号化された生物学的試料データのセキュアな記憶および読み出しのための分散型システムの提供。【解決手段】一実施形態によると、システムは、患者記録サーバデバイスに患者記録を送信し、患者記録サーバデバイスから、患者記録の受信の確認を受信するように動作可能な提出デバイスクライアントを備え得る。システムはさらに、第１のプロセッサおよび第２のメモリを備えている患者記録サーバデバイスと、第１のプロセッサおよび第２のメモリに関連付けられ、提出デバイスクライアントから患者記録を受信し、提出デバイスクライアントに、患者記録の受信の確認を送信し、メンバデバイスクライアントから患者プロファイル情報を受信し、患者プロファイル情報に基づいて検索結果を決定し、メンバデバイスクライアントに、検索結果を示す情報を送信するように動作可能な第２の通信インターフェースとを備え得る。【選択図】図１
2020149721.tif 000002
【特許請求の範囲】
【請求項１】
患者記録サーバデバイスであって、前記患者記録サーバデバイスは、プロセッサおよびメモリを備え、前記プロセッサは、
患者ブロックチェーンを作成することであって、前記患者ブロックチェーンは、臨床試験の開始時、空であり、前記患者ブロックチェーンは、前記臨床試験において登録されている患者に対応する、ことと、
前記臨床試験中、線形様式でブロックを追加することによって、前記患者ブロックチェーンを更新することと、
提出デバイスクライアントから患者記録を受信することと、
前記提出デバイスクライアントに前記患者記録の受信の確認を送信することと、
メンバデバイスクライアントから患者プロファイル情報を受信することと、
前記患者プロファイル情報に基づいて検索結果を決定することと、
前記メンバデバイスクライアントに前記検索結果を示す情報を送信することと、
前記検索結果を示す情報に基づいて、前記メンバデバイスクライアントに、前記検索結果を送信することと
を行うように構成されており、
前記臨床試験中に更新された前記患者ブロックチェーンの利用可能性は、前記臨床試験の完了時、ネットワークメンバにブロードキャストされ、
前記患者ブロックチェーンは、前記患者ブロックチェーンに対応する物理的試料への第三者アクセスの記録を用いて更新可能である、患者記録サーバデバイス。
【請求項２】
前記プロセッサは、
前記患者記録プロバイダクレジットを記憶し、前記患者ブロックチェーンを更新することと、
前記患者記録プロバイダクレジットの第１の確認を前記提出デバイスクライアントに送信することと、
メンバデバイスクライアントデビットを記憶し、前記患者ブロックチェーンを更新することと、
前記メンバデバイスクライアントデビットの第２の確認を前記メンバデバイスクライアントに送信することと、
オペレータクレジットを記憶し、前記患者ブロックチェーンを更新することと
を行うようにさらに構成されている、請求項１に記載の患者記録サーバデバイス。
【請求項３】
前記プロセッサは、
前記メンバデバイスクライアントからマイニングされた情報を受信することと、
前記マイニングされた情報を次のメンバブロックチェーン内に記憶することと、
前記メンバデバイスクライアントに前記マイニングされた情報の記憶の確認を送信することと
を行うようにさらに構成されている、請求項１に記載の患者記録サーバデバイス。
【請求項４】
前記プロセッサは、アクセス料金を前記患者記録に割り当てるようにさらに構成されており、前記患者記録アクセス料金は、前記患者記録内に記憶される情報の量に比例する、請求項１に記載の患者記録サーバデバイス。
【請求項５】
前記プロセッサは、
第１の患者記録情報を前記提出デバイスクライアントから受信することと、
前記第１の患者記録情報を記憶し、前記患者ブロックチェーンを更新することと、
前記第１の患者記録情報を記憶することに応答して、前記患者記録に関連付けられたアクセス料金を増加させることと、
第２の患者記録を前記提出デバイスクライアントから受信することと、
前記第２の記録情報を記憶し、前記患者ブロックチェーンを更新することと、
前記第２の患者記録情報を記憶することに応答して、前記患者記録に関連付けられたアクセス料金を増加させることと
を行うようにさらに構成されている、請求項１に記載の患者記録サーバデバイス。
【請求項６】
前記プロセッサは、
複数の提出デバイスクライアントから複数の臨床試験患者に対応する複数の臨床試験患者記録を受信することと、
前記複数の臨床試験患者記録を群化し、患者記録の臨床試験群を形成することと、
臨床試験スポンサメンバデバイスクライアントとして識別されたメンバデバイスクライアントを除く全ての前記メンバデバイスクライアントに対して、前記複数の臨床試験患者記録へのアクセスを制限することと、
臨床試験の終了を信号伝達する情報を受信することと、
他のメンバデバイスクライアントに前記患者記録の臨床試験群へのアクセスを提供することと
を行うようにさらに構成されている、請求項１に記載の患者記録サーバデバイス。
【請求項７】
患者ブロックチェーンを更新する方法であって、前記方法は、
プロセッサが、患者ブロックチェーンを作成することであって、前記患者ブロックチェーンは、臨床試験の開始時、空であり、前記患者ブロックチェーンは、前記臨床試験において登録されている患者に対応する、ことと、
前記プロセッサが、前記臨床試験中、線形様式でブロックを追加することによって、前記患者ブロックチェーンを更新することと、
前記プロセッサが、患者記録を提出デバイスクライアントから受信することと、
前記プロセッサが、前記患者記録の受信の確認を前記提出デバイスクライアントに送信することと、
前記プロセッサが、患者プロファイル情報をメンバデバイスクライアントから受信することと、
前記プロセッサが、前記患者プロファイル情報に基づいて検索結果を決定することと、
前記プロセッサが、前記検索結果を示す情報を前記メンバデバイスクライアントに送信することと、
前記プロセッサが、前記検索結果を示す情報に基づいて、前記メンバデバイスクライアントに、前記検索結果を送信することと
を含み、
前記臨床試験中に更新された前記患者ブロックチェーンの利用可能性は、前記臨床試験の完了時、ネットワークメンバにブロードキャストされ、
前記患者ブロックチェーンは、前記患者ブロックチェーンに対応する物理的試料への第三者アクセスの記録を用いて更新可能である、方法。
【請求項８】
患者記録プロバイダクレジットを記憶し、前記患者ブロックチェーンを更新することと、
前記患者記録プロバイダクレジットの第１の確認を前記提出デバイスクライアントに送信することと、
メンバデバイスクライアントデビットを記憶し、前記患者ブロックチェーンを更新することと、
前記メンバデバイスクライアントデビットの第２の確認を前記メンバデバイスクライアントに送信することと、
オペレータクレジットを記憶し、前記患者ブロックチェーンを更新することと
をさらに含む、請求項７に記載の方法。
【請求項９】
マイニングされた情報を前記メンバデバイスクライアントから受信することと、
前記マイニングされた情報を次のメンバブロックチェーン内に記憶することと、
前記マイニングされた情報の記憶の確認を前記メンバデバイスクライアントに送信することと
をさらに含む、請求項７に記載の方法。
【請求項１０】
アクセス料金を前記患者記録に割り当てることをさらに含み、前記患者記録アクセス料金は、前記患者記録内に記憶される情報の量に比例する、請求項７に記載の方法。
【請求項１１】
第１の患者記録情報を前記提出デバイスクライアントから受信することと、
前記第１の患者記録情報を記憶し、前記患者ブロックチェーンを更新することと、
前記第１の患者記録情報を記憶することに応答して、前記患者記録に関連付けられたアクセス料金を増加させることと、
第２の患者記録を前記提出デバイスクライアントから受信することと、
前記第２の記録情報を記憶し、前記患者ブロックチェーンを更新することと、
前記第２の患者記録情報を記憶することに応答して、前記患者記録に関連付けられたアクセス料金を増加させることと
をさらに含む、請求項７に記載の方法。
【請求項１２】
複数の提出デバイスクライアントから複数の臨床試験患者に対応する複数の臨床試験患者記録を受信することと、
前記複数の臨床試験患者記録を群化し、患者記録の臨床試験群を形成することと、
臨床試験スポンサメンバデバイスクライアントとして識別されたメンバデバイスクライアントを除く全ての前記メンバデバイスクライアントに対して、前記複数の臨床試験患者記録へのアクセスを制限することと、
臨床試験の終了を信号伝達する情報を受信することと、
他のメンバデバイスクライアントに対して前記患者記録の臨床試験群へのアクセスを提供することと
をさらに含む、請求項７に記載の方法。
【発明の詳細な説明】
【技術分野】
【０００１】
（関連出願の引用）
本願は、米国仮特許出願第６２／２５６，７５９号（２０１５年１１月１８日出願、名称「ＢｉｔＳｐｅｃｉｍｅｎ：Ａ  Ｓｅｃｕｒｅ  Ｄｉｇｉｔａｌ  Ｅｎｃｒｙｐｔｅｄ  Ｄａｔａｂａｓｅ  Ｏｆ  Ｉｎｆｏｒｍａｔｉｏｎ  Ａｂｏｕｔ  Ｓｐｅｃｉｍｅｎｓ  Ａｎｄ  Ｄａｔａ  Ｃｏｌｌｅｃｔｅｄ  Ｄｕｒｉｎｇ  Ｔｈｅ  Ｃｏｕｒｓｅ  Ｏｆ  Ｃｌｉｎｉｃａｌ  Ｔｒｉａｌｓ，Ｒｅｓｅａｒｃｈ  Ｓｔｕｄｉｅｓ，Ｐａｔｉｅｎｔ  Ｒｅｇｉｓｔｒｉｅｓ  Ａｎｄ  Ｉｎｓｔｉｔｕｔｉｏｎａｌ  Ａｎｄ  Ｎａｔｉｏｎａｌ  Ｂｉｏｂａｎｋｓ」）の優先権の利益を主張し、上記出願は、この参照によりその全体が本明細書に引用される。
【０００２】
（発明の分野）
本発明は、暗号化された生物学的試料データの記憶および読み出しのための分散型システムに関する。より具体的には、生物学的試料に関連する暗号化されたデータおよび生物学的試料に関連付けられた暗号化されたデータの記憶ならびに読み出しのために、セキュアなピアツーピア（Ｐ２Ｐ）ネットワーク内でブロックチェーンを採用するシステムに関する。
【背景技術】
【０００３】
健康管理データにおけるプライバシおよび信頼性は、患者、医療施設、政府、ならびに製薬会社のために特に関心事である。臨床試験の過程において、試料が、収集され、試料についてのデータも、試料および患者に対して行われる分析の結果として作成される。これらの高度な注釈付き試料は、精密医療のために非常に貴重な資源であるが、それらは、多くの場合、しまい込まれ（物理的および論理的の両方において）、それらの元々の使用以外に使用されることは稀である。多くの場合、患者、医学界および法曹界、製薬会社、ならびに他の当事者からのプライバシ懸念は、患者が試験から身を引き、患者のデータおよび他の未使用データならびに貴重な試料の使用を限定する結果をもたらす。加えて、これらの試料からの豊富なデータも、閉鎖的製薬会社データベースおよび電子医療システム内にしまい込まれ、それは、データマイニングまたはクラウドソーシング等の現代のデータ分析技法を通したこのデータの分析を妨げる。
【０００４】
ビットコインは、ブロックチェーンとして知られるデータベース技術を採用するオンライン暗号化ベースの非集中型通貨ネットワークである。ブロックチェーン技術は、ビットコインネットワークのバックボーンであり、改竄防止データ構造を提供し、ビットコインネットワークへのアクセスを伴う全てのユーザに開放される共有公開台帳を提供する。
【０００５】
ブロックチェーンは、複雑な暗号法によってセキュアにされ、Ｐ２Ｐネットワーク内で公的に閲覧可能である分散型データベースである。任意のタイプのデータが、ブロックチェーン内に半公的に記憶され得る。ブロックチェーン内に記憶されるデータは、ユーザがブロックチェーンの中にデータをアップロードすることによって署名される。ブロックチェーンへのアクセスを伴う誰でも、データがあるユーザによってアップロードされたことを確認し得るが、データをアップロードしたユーザのみが、データへのアクセスを付与するプライベートキーを所有する。したがって、ブロックチェーンは、パブリックヘッダを伴うデータベースのように挙動する。すなわち、一部の情報は、公的に利用可能であるが、特定のキーが、追加のデータをブロックチェーンから取得するために要求される。
【０００６】
ブロックチェーンの利点は、それが任意のタイプのデータを記憶し、暗号化およびプライベートキーアクセスの組み合わせを通してそれを高度にセキュアに保つが、それがデータへの限定されたパブリックアクセスも提供することができることである。これらの利点は、ブロックチェーンを共有されなければならない高度に取り扱いに注意を要するデータを記憶するための理想的解決策にする。
【発明の概要】
【課題を解決するための手段】
【０００７】
本発明は、生物学的試料、試料が得られた対象についてのデータ、対象に関する健康管理データ、およびゲノム情報を含む試料の分析の結果の記憶において、ブロックチェーン技術を採用する。本発明の実施形態では、ブロックチェーンは、コンピュータのＰ２Ｐネットワーク（交換局）内に常駐し、自律分散組織（ＤＡＯ）によって管理および設定され得る。ＤＡＯは、メンバがその作業（例えば、情報をそのブロックチェーンに追加すること、またはブロックチェーンが検査され、データがより広範な分析のために利用されることを可能にする）によってＤＡＯ全体に価値をもたらすので、全てのメンバの役に立ち得る。
【０００８】
本発明のある実施形態では、新しい臨床試験が開始すると、またはメンバが生物学的試料を提供することを望むと、Ｐ２Ｐネットワークは、事前にマイニングし、空または非常に短いブロックチェーンの組を作成し得る。患者が試験に登録すると、患者に関連付けられた空のブロックチェーンが、患者の個々のウォレット内に常駐し得、それは、患者の個々のバイオバンクの役割を果たし得る。臨床試験が進み、患者が試料収集およびそのような試料の分析に同意すると、トランザクションが、行われる各試料収集または分析に対して、患者のブロックチェーンに追加され得る。そのようなトランザクションは、患者のプライベートキーを用いてセキュアにされ得る。より多くのトランザクションおよびデータが、ブロックチェーンに追加されるにつれて、より複雑になり、プライベートキーを用いない者は、ブロックチェーンをロック解除するために、さらなる計算リソースを費やさなければならない。
【０００９】
ブロックチェーンを開き、それに追加することまたはそれを読み取ることのいずれかを行うことは、ブロックチェーンのマイニングを要求する。患者が、そのブロックチェーンをブロックチェーンネットワークの他のメンバによる使用のために利用可能にすることを欲する場合、患者は、データが利用可能であることの事実をブロードキャストし得る。例えば、患者は、ある民族性であること、ある薬剤を服用中であること、物理的に保存されたサンプルを有すること、または一塩基多型分析を行われたことをブロックチェーンネットワークの全てのメンバにブロードキャストし得る。
【００１０】
患者のブロードキャストは、ブロックチェーンマイナ、すなわち、そのデータを得ることに関心のあるネットワーク内の個人によって受け取られ得る。マイナはブロックチェーンをロック解除しようと競い合い、台帳を検査し、計算リソースを使用して、ブロックチェーンに関連付けられた暗号化パズルを解法することによって、プライベートキーを用いすにその中に保持されるデータを使用し得る。勝利したマイナは、データへのアクセスによって報酬が得られ得る。このアクセスの記録は、新しいブロックとして患者のブロックチェーンに付加され得、それは、ブロックチェーンのセキュリティおよびそこへのアクセスを得る困難度を増加させる。
【００１１】
ブロックチェーン内の各ブロックは、複数のデータを含み得る。例えば、臨床試験中、複数のトランザクションおよびデータが、単一ブロックの中にロードされ、それによって、ブロックチェーンをロック解除すること、またはそれに追加することを行うための計算マイニングコストを低減させ得る。試験中、試験スポンサのみが、ブロックチェーンへのアクセスが与えられ得る。試験の完了時、ブロックチェーンの利用可能性が、ネットワークメンバにブロードキャストされ、計算力を投資する準備ができている任意のメンバがそれをロック解除することを可能にし得る。いくつかの実施形態では、メンバは、単に、ブロックチェーンをロック解除し、それへのアクセスを得るために必要な計算時間に比例する金額を支払い得る。
【００１２】
患者または試料についてのほぼ任意のデータが、ブロックチェーンに追加され得る。例えば、試料識別子、告知に基づく同意データ、医療記録、試料の分析過程の管理、試料に発生した事象、分析の結果等の全てのものが、ブロックチェーンに追加され得る。ブロックは、線形様式でブロックチェーンに追加されるので、ブロックチェーンは、検査可能な全体的トランザクション履歴を提供する。例えば、試料が同意が得られる前に分析された場合、または同意が分析に先立って取り消された場合、そのような法的もしくは倫理的問題は、一続きのブロックチェーンにおいて明らかにされるであろう。さらに別の例では、物理的試料が、分析のために使用される場合、試料所有者は、物理的試料を第三者に譲渡するための許可を与え得、そのトランザクションの記録は、試料のブロックチェーン内に記憶され得る。
【００１３】
本発明のいくつかの実施形態では、暗号化された生物学的試料データのセキュアな記憶および読み出しのための分散型システムは、患者記録サーバデバイスに患者記録を送信し、患者記録サーバデバイスから、患者記録の受信の確認を受信するように動作可能な提出デバイスクライアントを備え得る。システムは、第１のプロセッサおよび第１のメモリを備えている患者記録サーバデバイスをさらに備え得、患者記録デバイスは、提出デバイスクライアントから患者記録を受信し、提出デバイスクライアントに、患者記録の受信の確認を送信し、メンバデバイスクライアントから患者プロファイル情報を受信し、患者プロファイル情報に基づいて検索結果を決定し、メンバデバイスクライアントに、検索結果を示す情報を送信するように動作可能である。システムは、患者記録サーバデバイスに、患者プロファイル情報を送信し、患者記録サーバデバイスから、患者プロファイル情報に基づく検索結果を示す情報を受信し、検索結果を示す情報に基づいて、検索結果を受信するように動作可能なメンバデバイスクライアントをさらに備え得る。
【００１４】
本発明のさらに他の実施形態では、システムは、第２のプロセッサおよび第２のメモリを備えている提出デバイスをさらに備え得、提出デバイスは、提出デバイスクライアントを実行するように動作可能である。システムは、第３のプロセッサおよび第３のメモリを備えているメンバデバイスをさらに備え得、メモリデバイスは、メンバデバイスクライアントを実行するように動作可能である。
【００１５】
本発明のさらに他の実施形態では、システムの提出デバイスクライアントは、患者記録プロバイダクレジットの第１の確認を患者記録サーバデバイスから受信するようにさらに動作可能であり得る。患者記録サーバデバイスは、患者記録プロバイダクレジットを次の患者ブロックチェーン内に記憶し、患者記録プロバイダクレジットの第１の確認を提出デバイスクライアントに送信し、メンバデバイスクライアントデビットを次の患者ブロックチェーン内に記憶し、メンバデバイスクライアントデビットの第２の確認をメンバデバイスクライアントに送信し、オペレータクレジットを次の患者ブロックチェーン内に記憶するようにさらに動作可能であり得る。メンバデバイスクライアントは、メンバデバイスクライアントデビットの第２の確認を患者記録サーバデバイスから受信するようにさらに動作可能であり得る。
【００１６】
本発明のさらに他の実施形態では、システムの患者記録サーバデバイスは、メンバデバイスクライアントからマイニングされた情報を受信し、マイニングされた情報を次のメンバブロックチェーン内に記憶し、メンバデバイスクライアントに、マイニングされた情報の記憶の確認を送信するようにさらに動作可能であり得る。メンバデバイスクライアントは、検索結果をマイニングし、マイニングされた情報を抽出し、患者記録サーバに、マイニングされた情報を送信し、患者記録サーバから、マイニングされた情報の記憶の確認を受信するようにさらに動作可能であり得る。
【００１７】
本発明のさらに他の実施形態では、システムの患者記録サーバデバイスは、アクセス料金を患者記録に割り当てるようにさらに動作可能であり得、患者記録アクセス料金は、患者記録内に記憶される情報の量に比例する。
【００１８】
本発明のさらに他の実施形態では、システムの提出デバイスクライアントは、患者記録を送信するために、臨床試験に基づく第１の患者記録情報入力を受信し、第１の患者記録情報を患者記録サーバデバイスに送信し、臨床試験に基づく第２の患者記録情報入力を受信し、第２の患者記録情報を患者記録サーバデバイスに送信するようにさらに動作可能であり得る。患者記録サーバデバイスは、患者記録を受信するために、第１の患者記録情報を提出デバイスクライアントから受信し、第１の患者記録情報を次のブロックチェーン内に記憶し、第１の患者記録情報を記憶することに応答して、患者記録に関連付けられたアクセス料金を増加させ、第２の患者記録を提出デバイスクライアントから受信し、第２の記録情報を次のブロックチェーン内に記憶し、第２の患者記録情報を記憶することに応答して、患者記録に関連付けられたアクセス料金を増加させるようにさらに動作可能であり得る。
【００１９】
本発明のさらに他の実施形態では、システムの患者記録サーバデバイスは、臨床試験を促進するために、複数の提出デバイスクライアントから複数の臨床試験患者に対応する複数の臨床試験患者記録を受信し、複数の臨床試験患者記録を群化し、患者記録の臨床試験群を形成し、臨床試験スポンサメンバデバイスクライアントとして識別されたメンバデバイスクライアントを除く全てのメンバデバイスクライアントに対して、複数の臨床試験患者記録へのアクセスを制限し、臨床試験の終了を信号伝達する情報を受信し、他のメンバデバイスクライアントに対して臨床試験患者記録へのアクセスを提供するようにさらに動作可能であり得る。
【００２０】
本発明のいくつかの実施形態では、暗号化された生物学的試料データをセキュアに記憶し、読み出す方法は、患者記録を提出デバイスクライアントから受信することと、患者記録の受信の確認を提出デバイスクライアントに送信することと、患者プロファイル情報をメンバデバイスクライアントから受信することと、患者プロファイル情報に基づいて検索結果を決定し、検索結果を示す情報をメンバデバイスクライアントに送信することとを含み得る。
【００２１】
本発明のさらに他の実施形態では、方法は、患者記録プロバイダクレジットを次の患者ブロックチェーン内に記憶することと、患者記録プロバイダクレジットの第１の確認を提出デバイスクライアントに送信することと、メンバデバイスクライアントデビットを次の患者ブロックチェーン内に記憶することと、メンバデバイスクライアントデビットの第２の確認をメンバデバイスクライアントに送信することと、オペレータクレジットを次の患者ブロックチェーン内に記憶することとをさらに含み得る。
【００２２】
本発明のさらに他の実施形態では、方法は、マイニングされた情報をメンバデバイスクライアントから受信することと、マイニングされた情報を次のメンバブロックチェーン内に記憶することと、マイニングされた情報の記憶の確認をメンバデバイスクライアントに送信することとをさらに含み得る。
【００２３】
本発明のさらに他の実施形態では、方法は、アクセス料金を患者記録に割り当てることをさらに含み得、患者記録アクセス料金は、患者記録内に記憶される情報の量に比例する。
【００２４】
本発明のさらに他の実施形態では、方法は、第１の患者記録情報を提出デバイスクライアントから受信することと、第１の患者記録情報を次のブロックチェーン内に記憶することと、第１の患者記録情報を記憶することに応答して、患者記録に関連付けられたアクセス料金を増加させることと、第２の患者記録を提出デバイスクライアントから受信することと、第２の記録情報を次のブロックチェーン内に記憶することと、第２の患者記録情報を記憶することに応答して、患者記録に関連付けられたアクセス料金を増加させることとをさらに含み得る。
【００２５】
本発明のさらに他の実施形態では、方法は、複数の提出デバイスクライアントから複数の臨床試験患者に対応する複数の臨床試験患者記録を受信することと、複数の臨床試験患者記録を群化し、患者記録の臨床試験群を形成することと、臨床試験スポンサメンバデバイスクライアントとして識別されたメンバデバイスクライアントを除く全てのメンバデバイスクライアントに対して、複数の臨床試験患者記録へのアクセスを制限することと、臨床試験の終了を信号伝達する情報を受信することと、他のメンバデバイスクライアントに対して臨床試験患者記録へのアクセスを提供することとをさらに含み得る。
本発明は、例えば、以下を提供する。
（項目１）
暗号化された生物学的試料データのセキュアな記憶および読み出しのための分散型システムであって、前記システムは、
提出デバイスクライアントであって、前記提出デバイスクライアントは、
患者記録サーバデバイスに患者記録を送信することと、
前記患者記録サーバデバイスから前記患者記録の受信の確認を受信することと
を行うように動作可能である、提出デバイスクライアントと、
前記患者記録サーバデバイスであって、前記患者記録サーバデバイスは、第１のプロセッサおよび第１のメモリを備え、前記患者記録サーバデバイスは、
前記提出デバイスクライアントから前記患者記録を受信することと、
前記提出デバイスクライアントに前記患者記録の受信の前記確認を送信することと、
メンバデバイスクライアントから患者プロファイル情報を受信することと、
前記患者プロファイル情報に基づいて検索結果を決定することと、
前記メンバデバイスクライアントに前記検索結果を示す情報を送信することと
を行うように動作可能である、前記患者記録サーバデバイスと、
前記メンバデバイスクライアントであって、前記メンバデバイスクライアントは、
前記患者記録サーバデバイスに前記患者プロファイル情報を送信することと、
前記患者記録サーバデバイスから前記患者プロファイル情報に基づく前記検索結果を示す情報を受信することと、
前記検索結果を示す前記情報に基づく前記検索結果を受信することと
を行うように動作可能である、前記メンバデバイスクライアントと
を備えている、システム。
（項目２）
提出デバイスであって、前記提出デバイスは、第２のプロセッサおよび第２のメモリを備え、前記提出デバイスは、前記提出デバイスクライアントを実行するように動作可能である、提出デバイスと、
メンバデバイスであって、前記メンバデバイスは、第３のプロセッサおよび第３のメモリを備え、前記メモリデバイスは、前記メンバデバイスクライアントを実行するように動作可能である、メンバデバイスと
をさらに備えている、項目１に記載のシステム。
（項目３）
前記提出デバイスクライアントであって、前記提出デバイスクライアントは、患者記録プロバイダクレジットの第１の確認を前記患者記録サーバデバイスから受信するようにさらに動作可能である、前記提出デバイスクライアントと、
前記患者記録サーバデバイスであって、前記患者記録サーバデバイスは、
前記患者記録プロバイダクレジットを次の患者ブロックチェーン内に記憶することと、
前記患者記録プロバイダクレジットの前記第１の確認を前記提出デバイスクライアントに送信することと、
メンバデバイスクライアントデビットを前記次の患者ブロックチェーン内に記憶することと、
前記メンバデバイスクライアントデビットの第２の確認を前記メンバデバイスクライアントに送信することと、
オペレータクレジットを前記次の患者ブロックチェーン内に記憶することと
を行うようにさらに動作可能である、前記患者記録サーバデバイスと、
前記メンバデバイスクライアントであって、前記メンバデバイスクライアントは、前記メンバデバイスクライアントデビットの前記第２の確認を前記患者記録サーバデバイスから受信するようにさらに動作可能である、前記メンバデバイスクライアントと
をさらに備えている、項目１に記載のシステム。
（項目４）
前記患者記録サーバデバイスであって、前記患者記録サーバデバイスは、
前記メンバデバイスクライアントからマイニングされた情報を受信することと、
前記マイニングされた情報を次のメンバブロックチェーン内に記憶することと、
前記メンバデバイスクライアントに前記マイニングされた情報の記憶の確認を送信することと
を行うようにさらに動作可能である、前記患者記録サーバデバイスと、
前記メンバデバイスクライアントであって、前記メンバデバイスクライアントは、
前記検索結果をマイニングし、マイニングされた情報を抽出することと、
前記患者記録サーバに前記マイニングされた情報を送信することと、
前記患者記録サーバから前記マイニングされた情報の記憶の確認を受信することと
を行うようにさらに動作可能である、前記メンバデバイスクライアントと
をさらに備えている、項目１に記載のシステム。
（項目５）
前記患者記録サーバデバイスであって、前記患者記録サーバデバイスは、アクセス料金を前記患者記録に割り当てるようにさらに動作可能であり、前記患者記録アクセス料金は、前記患者記録内に記憶される情報の量に比例する、前記患者記録サーバデバイスをさらに備えている、項目１に記載のシステム。
（項目６）
前記提出デバイスクライアントであって、前記提出デバイスクライアントは、前記患者記録を送信するために、
臨床試験に基づく第１の患者記録情報入力を受信することと、
前記第１の患者記録情報を前記患者記録サーバデバイスに送信することと、
臨床試験に基づく第２の患者記録情報入力を受信することと、
前記第２の患者記録情報を前記患者記録サーバデバイスに送信することと
を行うようにさらに動作可能である、前記提出デバイスクライアントと、
前記患者記録サーバデバイスであって、前記患者記録サーバデバイスは、前記患者記録を受信するために、
前記第１の患者記録情報を前記提出デバイスクライアントから受信することと、
前記第１の患者記録情報を次のブロックチェーン内に記憶することと、
前記第１の患者記録情報を記憶することに応答して、前記患者記録に関連付けられたアクセス料金を増加させることと、
前記第２の患者記録情報を前記提出デバイスクライアントから受信することと、
前記第２の記録情報を前記次のブロックチェーン内に記憶することと、
前記第２の患者記録情報を記憶することに応答して、前記患者記録に関連付けられたアクセス料金を増加させることと
を行うようにさらに動作可能である、前記患者記録サーバデバイスと
をさらに備えている、項目１に記載のシステム。
（項目７）
前記患者記録サーバデバイスであって、前記患者記録サーバデバイスは、臨床試験を促進するために、
複数の提出デバイスクライアントから複数の臨床試験患者に対応する複数の臨床試験患者記録を受信することと、
前記複数の臨床試験患者記録を群化し、患者記録の臨床試験群を形成することと、
臨床試験スポンサメンバデバイスクライアントとして識別されたメンバデバイスクライアントを除く全ての前記メンバデバイスクライアントに対して、前記複数の臨床試験患者記録へのアクセスを制限することと、
臨床試験の終了を信号伝達する情報を受信することと、
他のメンバデバイスクライアントに前記臨床試験患者記録へのアクセスを提供することと
を行うようにさらに動作可能である、前記患者記録サーバデバイスをさらに備えている、項目１に記載のシステム。
（項目８）
患者記録サーバデバイスであって、前記患者記録サーバデバイスは、プロセッサおよびメモリを備え、前記患者記録サーバデバイスは、
提出デバイスクライアントから患者記録を受信することと、
前記提出デバイスクライアントに前記患者記録の受信の確認を送信することと、
メンバデバイスクライアントから患者プロファイル情報を受信することと、
前記患者プロファイル情報に基づいて検索結果を決定することと、
前記メンバデバイスクライアントに前記検索結果を示す情報を送信することと
を行うように動作可能である、患者記録サーバデバイス。
（項目９）
前記患者記録サーバデバイスは、
前記患者記録プロバイダクレジットを次の患者ブロックチェーン内に記憶することと、
前記患者記録プロバイダクレジットの第１の確認を前記提出デバイスクライアントに送信することと、
メンバデバイスクライアントデビットを次の患者ブロックチェーン内に記憶することと、
前記メンバデバイスクライアントデビットの第２の確認を前記メンバデバイスクライアントに送信することと、
オペレータクレジットを前記次の患者ブロックチェーン内に記憶することと
を行うようにさらに動作可能である、項目８に記載の患者記録サーバデバイス。
（項目１０）
前記患者記録サーバデバイスは、
前記メンバデバイスクライアントからマイニングされた情報を受信することと、
前記マイニングされた情報を次のメンバブロックチェーン内に記憶することと、
前記メンバデバイスクライアントに前記マイニングされた情報の記憶の確認を送信することと
を行うようにさらに動作可能である、項目８に記載の患者記録サーバデバイス。
（項目１１）
前記患者記録サーバデバイスは、アクセス料金を前記患者記録に割り当てるようにさらに動作可能であり、前記患者記録アクセス料金は、前記患者記録内に記憶される情報の量に比例する、項目８に記載の患者記録サーバデバイス。
（項目１２）
前記患者記録サーバデバイスは、
第１の患者記録情報を前記提出デバイスクライアントから受信することと、
前記第１の患者記録情報を次のブロックチェーン内に記憶することと、
前記第１の患者記録情報を記憶することに応答して、前記患者記録に関連付けられたアクセス料金を増加させることと、
第２の患者記録を前記提出デバイスクライアントから受信することと、
前記第２の記録情報を前記次のブロックチェーン内に記憶することと、
前記第２の患者記録情報を記憶することに応答して、前記患者記録に関連付けられたアクセス料金を増加させることと
を行うようにさらに動作可能である、項目８に記載の患者記録サーバデバイス。
（項目１３）
前記患者記録サーバデバイスは、
複数の提出デバイスクライアントから複数の臨床試験患者に対応する複数の臨床試験患者記録を受信することと、
前記複数の臨床試験患者記録を群化し、患者記録の臨床試験群を形成することと、
臨床試験スポンサメンバデバイスクライアントとして識別されたメンバデバイスクライアントを除く全ての前記メンバデバイスクライアントに対して、前記複数の臨床試験患者記録へのアクセスを制限することと、
臨床試験の終了を信号伝達する情報を受信することと、
他のメンバデバイスクライアントに前記臨床試験患者記録へのアクセスを提供することと
を行うようにさらに動作可能である、項目８に記載の患者記録サーバデバイス。
（項目１４）
暗号化された生物学的試料データをセキュアに記憶し、読み出す方法であって、前記方法は、
患者記録を提出デバイスクライアントから受信することと、
前記患者記録の受信の確認を前記提出デバイスクライアントに送信することと、
患者プロファイル情報をメンバデバイスクライアントから受信することと、
前記患者プロファイル情報に基づいて検索結果を決定することと、
前記検索結果を示す情報を前記メンバデバイスクライアントに送信することと
を含む、方法。
（項目１５）
患者記録プロバイダクレジットを次の患者ブロックチェーン内に記憶することと、
前記患者記録プロバイダクレジットの第１の確認を前記提出デバイスクライアントに送信することと、
メンバデバイスクライアントデビットを前記次の患者ブロックチェーン内に記憶することと、
前記メンバデバイスクライアントデビットの第２の確認を前記メンバデバイスクライアントに送信することと、
オペレータクレジットを前記次の患者ブロックチェーン内に記憶することと
をさらに含む、項目１４に記載の方法。
（項目１６）
マイニングされた情報を前記メンバデバイスクライアントから受信することと、
前記マイニングされた情報を次のメンバブロックチェーン内に記憶することと、
前記マイニングされた情報の記憶の確認を前記メンバデバイスクライアントに送信することと
をさらに含む、項目１４に記載の方法。
（項目１７）
アクセス料金を前記患者記録に割り当てることをさらに含み、前記患者記録アクセス料金は、前記患者記録内に記憶される情報の量に比例する、項目１４に記載の方法。
（項目１８）
第１の患者記録情報を前記提出デバイスクライアントから受信することと、
前記第１の患者記録情報を次のブロックチェーン内に記憶することと、
前記第１の患者記録情報を記憶することに応答して、前記患者記録に関連付けられたアクセス料金を増加させることと、
第２の患者記録を前記提出デバイスクライアントから受信することと、
前記第２の記録情報を前記次のブロックチェーン内に記憶することと、
前記第２の患者記録情報を記憶することに応答して、前記患者記録に関連付けられたアクセス料金を増加させることと
をさらに含む、項目１４に記載の方法。
（項目１９）
複数の提出デバイスクライアントから複数の臨床試験患者に対応する複数の臨床試験患者記録を受信することと、
前記複数の臨床試験患者記録を群化し、患者記録の臨床試験群を形成することと、
臨床試験スポンサメンバデバイスクライアントとして識別されたメンバデバイスクライアントを除く全ての前記メンバデバイスクライアントに対して、前記複数の臨床試験患者記録へのアクセスを制限することと、
臨床試験の終了を信号伝達する情報を受信することと、
他のメンバデバイスクライアントに対して前記臨床試験患者記録へのアクセスを提供することと
をさらに含む、項目１４に記載の方法。
【図面の簡単な説明】
【００２６】
【図１】図１は、暗号化された生物学的試料データをセキュアに記憶し、読み出すための例示的分散型システムを図示する概要系統図である。
【図２Ａ】図２Ａは、本発明のいくつかの実施形態による、暗号化された生物学的試料データをセキュアに記憶し、読み出すための分散型システムの例示的コンポーネントおよび機能を図示するネットワーク略図である。
【図２Ｂ】図２Ｂは、暗号化された生物学的試料データをセキュアに記憶し、読み出すための分散型システムの追加の例示的コンポーネントおよび機能を図示するネットワーク略図である。
【図３】図３は、本発明のいくつかの実施形態による、提出デバイスを備えているハードウェアコンポーネントのブロック図である。
【図４】図４は、本発明のいくつかの実施形態による、メンバデバイスを備えているハードウェアコンポーネントのブロック図である。
【図５】図５は、本発明のいくつかの実施形態による、患者記録サーバを備えているハードウェアコンポーネントのブロック図である。
【発明を実施するための形態】
【００２７】
本開示は、法定要件を満たすための詳細を伴って説明される。しかしながら、説明自体は、本特許の範囲を限定することを意図するものではない。むしろ、本発明者らは、請求される主題が、他の現在または将来的技術と併せて本書に説明されるものに類似する異なるステップもしくは要素を含むように、他の方法において具現化され得ることも考慮する。さらに、用語「ステップ」は、本明細書では、採用される方法の異なる側面を暗示するために使用され得るが、この用語は、個々のステップの順序が明示的に説明されない限り、かつその場合を除き、本明細書に開示される種々のステップの中またはその間の任意の特定の順序を含意するように解釈されるべきではない。
【００２８】
本明細書で言及されるように、用語「コンピューティングデバイス」は、広義に解釈されるべきである。いくつかの実施形態では、提出デバイス３０およびメンバデバイス５０は両方とも、コンピューティングデバイスと考えられ得る。それは、任意のタイプのモバイルデバイス、例えば、スマートフォン、携帯電話、ポケベル、携帯情報端末（例えば、ＧＰＲＳ  ＮＩＣを伴うＰＤＡ）、セルラー無線を伴うモバイルコンピュータ等を含むことができる。典型的モバイルデバイスは、インターネットプロトコルもしくはＩＰおよび無線アプリケーションプロトコルまたはＷＡＰのようなプロトコルを使用して、無線様式でデータを送受信可能な無線データアクセス対応デバイス（例えば、ｉＰＨＯＮＥ（登録商標）スマートフォン、ＢＬＡＣＫＢＥＲＲＹ（登録商標）スマートフォン、ＮＥＸＵＳ  ＯＮＥＴＭスマートフォン、ｉＰＡＤ（登録商標）デバイス等）である。これは、ユーザが、スマートフォン、携帯電話、ポケベル、双方向無線、コミュニケータ等の無線デバイスを介して、情報にアクセスすることを可能にする。無線データアクセスは、限定ではないが、ＣＤＰＤ、ＣＤＭＡ、ＧＳＭ（登録商標）、ＰＤＣ、ＰＨＳ、ＴＤＭＡ、ＦＬＥＸ、ＲｅＦＬＥＸ、ｉＤＥＮ、ＴＥＴＲＡ、ＤＥＣＴ、ＤａｔａＴＡＣ、Ｍｏｂｉｔｅｘ、ＥＤＧＥ、ならびに他の２Ｇ、３Ｇ、４Ｇ、およびＬＴＥ技術を含む多くの無線ネットワークによってサポートされ、ＰａｌｍＯＳ、ＥＰＯＣ、Ｗｉｎｄｏｗｓ（登録商標）  ＣＥ、ＦＬＥＸＯＳ、ＯＳ／９、Ｊａｖａ（登録商標）ＯＳ、ｉＯＳ、およびＡｎｄｒｏｉｄ等の多くのハンドヘルドデバイスオペレーティングシステムを用いて動作する。典型的には、これらのデバイスは、グラフィカルディスプレイを使用し、いわゆるミニまたはマイクロブラウザ上でインターネット（または他の通信ネットワーク）にアクセスすることができ、ミニまたはマイクロブラウザは、無線ネットワークの低減されたメモリ制約に適応することができる小ファイルサイズを伴うウェブブラウザである。代表的実施形態では、モバイルデバイスは、ＧＳＭ（登録商標）ネットワークのためのデータ技術である、ＧＰＲＳ（汎用パケット無線サービス）を経由して動作する携帯電話またはスマートフォンである。従来の音声通信に加え、所与のモバイルデバイスは、ＳＭＳ（ショートメッセージサービス）、拡張ＳＭＳ（ＥＭＳ）、マルチメディアメッセージ（ＭＭＳ）、電子メールＷＡＰ、ページング、または他の公知もしくは後に開発される無線データフォーマットを含む、多くの異なるタイプのメッセージ転送技法を介して、別のそのようなデバイスと通信することができる。本明細書に提供される例の多くは、モバイルデバイス上に実装されるが、例は、同様に、任意の好適な「コンピューティングデバイス」上に実装され得る。
【００２９】
本明細書全体を通して、同様の参照番号は、図の説明全体を通して同一要素を示す。
【００３０】
要素が、「接続される」または「結合される」と言及されるとき、要素は、直接、一緒に接続もしくは結合されることができるか、または１つ以上の介在要素も、存在し得る。対照的に、要素が、「直接接続される」または「直接結合される」と言及されるとき、介在要素は、存在しない。
【００３１】
主題は、デバイス、システム、方法、および／またはコンピュータプログラム製品として具現化され得る。故に、主題の一部または全部は、ハードウェアおよび／またはソフトウェア（ファームウェア、常駐ソフトウェア、マイクロコード、状態機械、ゲートアレイ等を含む）において具現化され得る。さらに、主題は、命令実行システムによって、それと関連して使用するために、媒体内に具現化されるコンピュータ使用可能またはコンピュータ読み取り可能なプログラムコードを有するコンピュータ使用可能またはコンピュータ読み取り可能な記憶媒体上のコンピュータプログラム製品の形態をとり得る。本書の文脈では、コンピュータ使用可能またはコンピュータ読み取り可能な媒体は、命令実行システム、装置、またはデバイスによって、それと関連して使用するために、プログラムを含み、記憶し、通信し、伝搬すること、または移送することができる任意の媒体であり得る。
【００３２】
コンピュータ使用可能またはコンピュータ読み取り可能な媒体は、例えば、限定ではないが、電子、磁気、光学、電磁、赤外線、または半導体システム、装置、デバイス、もしくは伝搬媒体であり得る。一例として、限定ではないが、コンピュータ読み取り可能な媒体は、コンピュータ記憶媒体および通信媒体を備え得る。
【００３３】
コンピュータ記憶媒体は、コンピュータ読み取り可能な命令、データ構造、プログラムモジュール、または他のデータ等の情報の記憶のために、任意の方法もしくは技術において実装される揮発性および不揮発性の取り外し可能ならびに非取り外し可能媒体を含む。コンピュータ記憶媒体は、限定ではないが、所望の情報を記憶するために使用され得、命令実行システムによってアクセスされ得るＲＡＭ、ＲＯＭ、ＥＥＰＲＯＭ、フラッシュメモリまたは他のメモリ技術、ＣＤ−ＲＯＭ、デジタル多用途ディスク（ＤＶＤ）または他の光学記憶、磁気カセット、磁気テープ、磁気ディスク記憶または他の磁気記憶デバイス、もしくは任意の他の媒体を含む。コンピュータ使用可能またはコンピュータ読み取り可能な媒体は、プログラムが印刷されている紙または他の好適な媒体であることができ、プログラムは、例えば、紙または他の好適な媒体の光学走査を介して電子的に捕捉され、次いで、必要に応じて、コンパイルされ、解釈され、または別様に好適な様式で処理され、次いで、コンピュータメモリ内に記憶されることができることに留意されたい。
【００３４】
通信媒体は、典型的には、搬送波または他の移送機構等の変調されたデータ信号内にコンピュータ読み取り可能な命令、データ構造、プログラムモジュール、または他のデータを具現化し、任意の情報送達媒体を含む。用語「変調されたデータ信号」は、その特性組のうちの１つ以上のものを有するか、または情報を信号内にエンコードするような様式で変更される信号として定義されることができる。一例として、限定ではないが、通信媒体は、有線ネットワークまたは直接有線接続等の有線媒体と、音響、ＲＦ、赤外線、および他の無線媒体等の無線媒体とを含む。前述のいずれかの組み合わせも、コンピュータ読み取り可能な媒体の範囲内に含まれるべきである。
【００３５】
主題が、コンピュータ実行可能命令の一般的文脈において具現化されるとき、実施形態は、１つ以上のシステム、コンピュータ、もしくは他のデバイスによって実行されるプログラムモジュールを備え得る。概して、プログラムモジュールは、特定のタスクを行う、または特定の抽象データタイプを実装するルーチン、プログラム、オブジェクト、コンポーネント、データ構造等を含む。典型的には、プログラムモジュールの機能性は、種々の実施形態では、所望に応じて、組み合わせられ、または分散され得る。
【００３６】
本開示の実施形態が実装され得る動作環境も、周知である。代表的実施形態では、モバイルデバイス等のコンピューティングデバイスは、実装に応じて変動する伝送機能性に接続可能である。したがって、例えば、動作環境が、広域無線ネットワーク（例えば、２．５Ｇネットワーク、３Ｇネットワーク、または４Ｇネットワーク）である場合、伝送機能性は、移動通信交換局（ＭＳＣ）（携帯電話加入者の呼処理に責任がある拡張ＩＳＤＮスイッチ）、ビジタロケーションレジスタ（ＶＬＲ）（呼設定を処理するために要求され、またはＶＬＲに登録されたモバイルデバイスによって受信される一時的ベースでデータを記憶するインテリジェントデータベース）、ホームロケーションレジスタ（ＨＬＲ）（各加入者の記録の管理に責任があるインテリジェントデータベース）、１つ以上の基地局（セルを用いて無線送受信範囲を提供する）、基地局コントローラ（ＢＳＣ）（トラフィックのローカルコンセントレータとしての役割を果たし、基地局間のハンドオーバをもたらすためのローカル切り替えを提供するスイッチ）、およびパケット制御ユニット（ＰＣＵ）（モバイルデバイスから生じるデータトラフィックを分離するデバイス）等の１つ以上のコンポーネントを備えている。ＨＬＲは、着信呼に関連付けられたあるサービスを制御する。当然ながら、本開示は、他のおよび次世代のモバイルネットワークならびにデバイスにおいても同様に実装され得る。モバイルデバイスは、エンドユーザ、典型的には、無線ネットワークの加入者によって使用される物理的機器である。典型的には、モバイルデバイスは、２．５Ｇ対応デバイス、３Ｇ対応デバイス、または４Ｇ対応デバイスであり、それは、加入者特有の情報を保持するスマートカードである加入者識別モジュール（ＳＩＭ）、モバイル機器（例えば、無線および関連付けられた信号処理デバイス）、ユーザインターフェース（またはマンマシンインターフェース（ＭＭＩ））、および外部デバイス（例えば、コンピュータ、ＰＤＡ等）への１つ以上のインターフェースを含む。モバイルデバイスは、メモリまたはデータ記憶装置を含み得る。本開示の主題が、ここで、より詳細に説明される。
【００３７】
ここで図１を参照すると、本発明のいくつかの実施形態では、暗号化された生物学的試料データを記憶し、読み出すための分散型システムは、複数の提出デバイス３０と、複数のメンバデバイス５０と、複数の患者記録サーバデバイス７０とから成り得る。提出デバイス３０は、患者記録の提出を行うために使用されるデバイスを表し得る。メンバデバイス５０は、患者記録にアクセスためにメンバ（例えば、製薬会社、医療研究会社、学術機関等）によって使用される、デバイスを表し得る。患者記録サーバ７０は、ブロックチェーン技術を使用してセキュアかつ分散型様式で患者記録を一緒にホストするデバイスを表し得る。
【００３８】
提出デバイス３０は、制御システム３２と、ＵＩ機能３４と、通信機能３６と、提出機能３８とから成り得る。プライベートキーが、提出デバイス３０のためのそれぞれの患者記録４２とともに、キーリポジトリ４０内に記憶され得る。ＵＩ機能は、システムのユーザが提出デバイス３０と相互作用することを可能にするユーザインターフェース制御を提供し得る。通信機能３６は、通信インターフェース３０８と協働し、提出デバイス３０のための通信を提供し得る。提出機能３８は、提出デバイス３０において収集される患者記録を患者記録サーバ７０に送信し得る。
【００３９】
メンバデバイス５０は、制御システム５２と、ＵＩ機能５４と、通信機能５６と、アクセス機能５８とから成り得る。プライベートキーが、メンバデバイス５０のためのそれぞれの患者記録６２とともに、キーリポジトリ６０内に記憶され得る。ＵＩ機能５４は、ユーザインターフェース制御を提供し、システムのユーザがメンバデバイス５０と相互作用することを可能にし得る。通信機能５６は、通信インターフェース４０８と協働し、メンバデバイス５０のための通信を提供し得る。提出機能５８は、患者記録サーバ７０で収集された患者記録を受信し得る。
【００４０】
患者記録サーバ７０は、制御システム７２と、ＵＩ機能７４と、通信機能７６と、アクセス機能７８とから成り得る。所有者リポジトリ８０は、患者記録サーバ７０のための管理情報を記憶し得る。メンバリポジトリ８２は、患者記録サーバ７０にアクセスするメンバデバイス５０についての情報を記憶し得る。患者記録リポジトリ８４は、提出デバイス３０から受信された患者記録情報４２を記憶し得る。プライベートおよびパブリックキーが、メンバデバイス５０のためのそれぞれの患者記録６２とともに、キーリポジトリ６０内に記憶され得る。記録取り込み機能７４は、患者記録４２を提出デバイス３０から受信するために動作し得る。記録アクセス機能７６は、患者記録リポジトリ８４内に記憶される患者記録４２へのアクセスに応答して、データに対する要求を受信し、データを送信するために動作し得る。通信機能７７は、通信インターフェース５０８と協働し、患者記録サーバ７０のための通信を提供し得る。アクセスキー生成機能７８は、アクセスキーを提出デバイス３０およびメンバデバイス５０に提供し得る。
【００４１】
当業者は、ネットワーク２０が上でリストアップされた実装によって限定されないことを理解されるであろう。より具体的には、ネットワーク２０は、提出デバイス３０、メンバデバイス５０、および患者記録サーバ７０間の相互作用を可能にするために好適な任意のタイプのネットワーク２０であり得る。例えば、ネットワーク２０は、有線ネットワーク、無線ネットワーク、または任意のそれらの組み合わせであり得る。さらに、ネットワーク２０は、分散型コンピューティングネットワーク、イントラネット、ローカルエリアネットワーク（ＬＡＮ）、および／または広域ネットワーク（ＷＡＮ）、もしくは任意のそれらの組み合わせを含み得る。
【００４２】
図２は、本発明の少なくとも一実施形態による、暗号化された生物学的試料データを記憶し、読み出すための分散型システム上のネットワークトラフィックを描写する。提出デバイス３０は、キーを要求２０２し、キーを患者記録サーバ７０から受信２０４し得る。患者データが、提出デバイス３０において受信２０６され、患者記録サーバ７０に送信２０８され得る。患者記録サーバ７０は、患者記録を患者記録リポジトリ８０４に次のブロックチェーンの一部として追加するために一緒に機能し２１２し得る。記録の確認が、提出デバイス３０に提供され得る。メンバデバイス５０は、合致されるべきプロファイルを示す情報を受信２１４し得る。メンバデバイス５０は、プロファイルに合致する患者に対する患者データへのアクセスを要求２１６し得、アクセスキーが、メンバデバイス５０に送信され、アクセスをイネーブルにし得る。データは、メンバデバイス５０によって患者記録サーバ７０から要求され得る。メンバからインフラストラクチャオペレータへの支払が、認可２２０され得る。要求されるデータが、メンバデバイス５０において受信２２２され得る。メンバデバイス５０は、次いで、データのマイニング２２４に進み得る。メンバのアカウントが、次いで、データへのアクセスに対してデビット２２６され得、トランザクションの証拠が、次のブロックチェーンに記録２２８され得る。メンバデビットの確認は、メンバデバイス５０において受信２２９され得る。患者のアカウントは、データを提供するためにクレジット２３０され得、トランザクションの証拠は、次のブロックチェーンに記録２３２され得る。患者クレジットの確認は、提出デバイス３０において受信２３３され得る。インフラストラクチャプロバイダのアカウントは、患者／メンバトランザクションをイネーブルにするためにクレジット２３４され得、トランザクションの証拠は、次のブロックチェーンに記録２３６され得る。プロバイダクレジットの確認は、提出デバイス３０において受信２３７され得る。メンバデバイス５０は、患者記録サーバ７０におけるマイニングされた結果の記憶を要求し得る。記憶の確認は、メンバデバイス５０において受信２４２され得る。
【００４３】
ここで図３を参照すると、本発明の少なくとも一実施形態による、提出デバイス３０のブロック図が、示される。図示されるように、提出デバイス３０は、バス３０２または類似機構によって、メモリ３０６と、１つ以上の通信インターフェース３０８と、１つ以上のユーザインターフェースコンポーネント３１０と、１つ以上の記憶デバイス３１２と、場所モジュール３１４とに接続されるコントローラ３０４を含む。コントローラ３０４は、マイクロプロセッサ、デジタルＡＳＩＣ、ＦＰＧＡ等である。一般に、提出デバイス３０は、関連付けられたメモリ３０６を有する制御システム３２を含む。本実施形態では、コントローラ３０４は、マイクロプロセッサであり、ＵＩ機能３４、通信機能３６、および提出機能３８が、ソフトウェアにおいて実装され、コントローラ３０４による実行のためにメモリ３０６内に記憶される。しかしながら、本開示は、それに限定されない。前述の機能およびエンジンは、ソフトウェア、ハードウェア、またはそれらの組み合わせにおいて実装され得る。提出デバイス３０は、通信インターフェース３０８も含み、提出デバイス３０が、ネットワーク２０に接続することをイネーブルにする。１つ以上のユーザインターフェースコンポーネント３１０は、例えば、タッチスクリーン、ディスプレイ、１つ以上のユーザ入力コンポーネント（例えば、キーパッド）、スピーカ等、もしくは任意のそれらの組み合わせを含む。記憶デバイス３１２は、不揮発性メモリである。本実施形態では、場所モジュール３１４は、ＧＰＳ受信機等のハードウェアコンポーネントである。しかしながら、本発明は、それに限定されない。
【００４４】
図４は、本開示の一実施形態によるメンバデバイス５０のブロック図である。図示されるように、メンバデバイス５０は、バス４０２または類似機構によって、メモリ４０６と、１つ以上の通信インターフェース４０８と、１つ以上のユーザインターフェースコンポーネント４１０と、１つ以上の記憶デバイス４１２とに接続されるコントローラ４０４を含む。コントローラ４０４は、マイクロプロセッサ、デジタルＡＳＩＣ、ＦＰＧＡ等である。一般に、メンバデバイス５０は、関連付けられたメモリ４０６を有する制御システム５２を含む。本実施形態では、コントローラ４０４は、マイクロプロセッサであり、ＵＩ機能５４、通信機能５６、およびアクセス機能５８は、ソフトウェアにおいて実装され、コントローラ４０４による実行のためにメモリ４０６内に記憶される。しかしながら、本開示は、それに限定されない。前述の機能は、ソフトウェア、ハードウェア、またはそれらの組み合わせにおいて実装され得る。メンバデバイス５０は、通信インターフェース４０８も含み、基準メンバデバイス５０が、ネットワーク２０に接続することをイネーブルにする。１つ以上のユーザインターフェースコンポーネント４１０は、例えば、タッチスクリーン、ディスプレイ、１人またはそれを上回るユーザ入力コンポーネント（例えば、キーパッド）、スピーカ等、もしくは任意のそれらの組み合わせを含む。記憶デバイス４１２は、不揮発性メモリである。
【００４５】
図５は、本開示のある実施形態による比較サーバデバイス７０のブロック図である。図示されるように、比較サーバデバイス７０は、バス５０２または類似機構によって、メモリ５０６と、１つ以上の二次記憶デバイス５１２と、１つ以上の通信インターフェース５０８とに接続されるコントローラ５０４を含む。コントローラ５０４は、マイクロプロセッサ、デジタル特定用途向け集積回路ＡＳＩＣ、フィールドプログラマブルゲートアレイＦＰＧＡ等である。一般に、比較サーバデバイス７０は、関連付けられたメモリ５０６を有する制御システム７２を含む。本実施形態では、コントローラ５０４は、マイクロプロセッサであり、記録取り込み機能７４、記録アクセス機能７６、およびアクセスキー生成７８が、ソフトウェアにおいて実装され、コントローラ５０４による実行のためにメモリ５０６内に記憶される。しかしながら、本開示は、それに限定されない。前述のエンジンは、ソフトウェア、ハードウェア、またはそれらの組み合わせにおいて実装され得る。さらに、所有者リポジトリ８０、メンバリポジトリ８２、および患者記録リポジトリ８４が、１つ以上の二次記憶デバイス５１２内に記憶され得る。二次記憶デバイス５１２は、例えば、１つ以上のハードディスクドライブ等のデジタルデータ記憶デバイスである。比較サーバデバイス７０は、通信インターフェース５０８も含み、比較サーバデバイス７０が、ネットワーク２０に接続することをイネーブルにする。
【００４６】
当業者は、本開示の実施形態の改良および修正を認識するであろう。全てのそのような改良および修正は、本明細書ならびに続く請求項に開示される概念の範囲内であると見なされる。
【図１】
2020149721.tif 000003
【図２Ａ】
2020149721.tif 000004
【図２Ｂ】
2020149721.tif 000005
【図３】
2020149721.tif 000006
【図４】
2020149721.tif 000007
【図５】
2020149721.tif 000008
【手続補正書】
【提出日】令和2年6月1日(2020.6.1)
【手続補正１】
【補正対象書類名】明細書
【補正対象項目名】００４０
【補正方法】変更
【補正の内容】
【００４０】
患者記録サーバ７０は、制御システム７２と、記録取り込み機能７４と、記録アクセス機能７６と、アクセスキー生成機能７８とから成り得る。所有者リポジトリ８０は、患者記録サーバ７０のための管理情報を記憶し得る。メンバリポジトリ８２は、患者記録サーバ７０にアクセスするメンバデバイス５０についての情報を記憶し得る。患者記録リポジトリ８４は、提出デバイス３０から受信された患者記録情報４２を記憶し得る。プライベートおよびパブリックキーが、メンバデバイス５０のためのそれぞれの患者記録６２とともに、キーリポジトリ６０内に記憶され得る。記録取り込み機能７４は、患者記録４２を提出デバイス３０から受信するために動作し得る。記録アクセス機能７６は、患者記録リポジトリ８４内に記憶される患者記録４２へのアクセスに応答して、データに対する要求を受信し、データを送信するために動作し得る。通信機能７７は、通信インターフェース５０８と協働し、患者記録サーバ７０のための通信を提供し得る。アクセスキー生成機能７８は、アクセスキーを提出デバイス３０およびメンバデバイス５０に提供し得る。
【手続補正２】
【補正対象書類名】明細書
【補正対象項目名】００４５
【補正方法】変更
【補正の内容】
【００４５】
図５は、本開示のある実施形態による比較サーバデバイス７０のブロック図である。図示されるように、比較サーバデバイス７０は、バス５０２または類似機構によって、メモリ５０６と、１つ以上の二次記憶デバイス５１２と、１つ以上の通信インターフェース５０８とに接続されるコントローラ５０４を含む。コントローラ５０４は、マイクロプロセッサ、デジタル特定用途向け集積回路ＡＳＩＣ、フィールドプログラマブルゲートアレイＦＰＧＡ等である。一般に、比較サーバデバイス７０は、関連付けられたメモリ５０６を有する制御システム７２を含む。本実施形態では、コントローラ５０４は、マイクロプロセッサであり、記録取り込み機能７４、記録アクセス機能７６、およびアクセスキー生成機能７８が、ソフトウェアにおいて実装され、コントローラ５０４による実行のためにメモリ５０６内に記憶される。しかしながら、本開示は、それに限定されない。前述のエンジンは、ソフトウェア、ハードウェア、またはそれらの組み合わせにおいて実装され得る。さらに、所有者リポジトリ８０、メンバリポジトリ８２、および患者記録リポジトリ８４が、１つ以上の二次記憶デバイス５１２内に記憶され得る。二次記憶デバイス５１２は、例えば、１つ以上のハードディスクドライブ等のデジタルデータ記憶デバイスである。比較サーバデバイス７０は、通信インターフェース５０８も含み、比較サーバデバイス７０が、ネットワーク２０に接続することをイネーブルにする。
【外国語明細書】
2020149721000001.pdf